(57)【要約】【課題】２重渦巻状の蛍光ランプの旋回によるランプピンのランプソケットからの脱落を防止できる照明器具を提供する。【解決手段】渦巻状に旋回された発光管２２を有する蛍光ランプ２０は、両端部に設けられた口金２３のランプピン２１をランプソケット１７に保持されるとともに、器具本体１２に取り付けられたランプ支持バネ１８により発光管２２が保持される。この際、ランプ支持バネ１８は、発光管２２の中央部分２２ａを保持するので、直線に近い部分を保持することができ、より確実に発光管２２を保持することができる。このため、ランプ支持バネ１８によって蛍光ランプ２０の旋回を阻止することができ、ランプピン２１がランプソケット１７から脱落するのを防止することができる。【選択図】図２
2011090993.tif 000002
【特許請求の範囲】
【請求項１】
管状の放電路が渦巻状に旋回された発光管と前記発光管の両端部にそれぞれ設けられた一対の口金と前記口金に設けられたランプピンとを備えた蛍光ランプと、前記ランプピンと電気的に接続されて前記蛍光ランプに電力を供給するランプソケットと、前記蛍光ランプを保持するランプ支持バネと、前記ランプソケットおよび前記ランプ支持バネを介して前記蛍光ランプを保持する器具本体とを備えた照明器具において、
前記ランプ支持バネが、前記発光管の中央部分を保持することを特徴とする照明器具。
【請求項２】
前記中央部分に配置されたランプ支持バネが前記発光管を挟み込むように一対配置されることで、前記蛍光ランプの前記ランプピンが前記ランプソケットから離れる方向に前記蛍光ランプが移動するのを阻止することを特徴とする請求項１記載の照明器具。
【発明の詳細な説明】
【技術分野】
【０００１】
本発明は、管状の放電路が渦巻状に旋回された蛍光ランプを有する照明器具に関するものである。
【背景技術】
【０００２】
従来より、放電路が２重渦巻状に旋回された蛍光ランプが知られている（例えば特許文献１、特許文献２参照）。
図８（Ａ）、（Ｂ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。ブリッジ１０２の中央部には、裏側に突出して口金１０３が設けられており、口金１０３の中央には、２対のランプピン１０４が設けられている。また、口金１０３から裏側に突出して一対の保持取っ手１０３ａ、１０３ａが設けられている。
【０００３】
また、図９（Ａ）、（Ｂ）に示すように、特許文献２に記載の蛍光ランプ１１０は、管状の放電路が長手方向中央部１１１ａを始点として同一平面に沿って２重渦巻状に旋回された発光管１１１を有する。発光管１１１の中央部１１１ａは、その他の部分に比して太径となっている。発光管１１１の両端部にはそれぞれ口金１１２、１１２が取付けられている。なお、両口金１１２、１１２は、照射方向と反対側の裏面に設けられたブリッジ１１３によって連結されている。また、各口金１１２、１１２には、一対のランプピン１１４、１１４が、一端を渦巻きの接線方向に突出して設けられている。
【先行技術文献】
【特許文献】
【０００４】
【特許文献１】特開２００７−２７３３３０号公報（第１図）
【特許文献２】特開２００９−１７６６５８号公報（第２図）
【発明の概要】
【発明が解決しようとする課題】
【０００５】
前述した特許文献１に記載の蛍光ランプ１００においては、口金１０３の２対のランプピン１０４をランプソケット（図示省略）に挿入することにより、ランプソケットを介して蛍光ランプ１００を保持するとともに、点灯電力を商用電源から得る。すなわち、各ランプピン１０４は蛍光ランプ１００の旋回方向と直交しており、蛍光ランプ１００の旋回によってランプピン１０４がランプソケットから脱落して装着不良を起こすことはない。
【０００６】
しかしながら、前述した特許文献２に記載の蛍光ランプ１１０においては、ランプピン１１４が蛍光ランプ１１０の接線方向に設けられているので、蛍光ランプ１１０が旋回すると、ランプピン１１４がランプソケットから脱落して装着不良を起こすおそれがあるという問題があった。
【０００７】
本発明は、従来の問題を解決するためになされたもので、２重渦巻状の蛍光ランプの旋回によるランプピンのランプソケットからの脱落を防止できる照明器具を提供することを目的とする。
【課題を解決するための手段】
【０００８】
本発明の照明器具は、管状の放電路が渦巻状に旋回された発光管と前記発光管の両端部にそれぞれ設けられた一対の口金と前記口金に設けられたランプピンとを備えた蛍光ランプと、前記ランプピンと電気的に接続されて前記蛍光ランプに電力を供給するランプソケットと、前記蛍光ランプを保持するランプ支持バネと、前記ランプソケットおよび前記ランプ支持バネを介して前記蛍光ランプを保持する器具本体とを備えた照明器具において、
前記ランプ支持バネが、前記発光管の中央部分を保持する構成を有している。
【０００９】
この構成により、渦巻状に旋回された発光管を有する蛍光ランプは、両端部に設けられた口金のランプピンをランプソケットに保持されるとともに、器具本体に取り付けられたランプ支持バネにより発光管を保持される。この際、ランプ支持バネは、発光管の中央部分を保持するので、直線に近い部分を保持することができ、より確実に発光管を保持することができる。このため、ランプ支持バネによって蛍光ランプの旋回が阻止され、ランプピンがランプソケットから脱落するのを防止することができる。
【００１０】
また、本発明の照明器具は、前記中央部分に配置されたランプ支持バネが前記発光管を挟み込むように一対配置されることで、前記蛍光ランプの前記ランプピンが前記ランプソケットから離れる方向に前記蛍光ランプが移動するのを阻止する構成を有している。
【００１１】
この構成により、発光管の中央部分を保持するランプ支持バネが、発光管の中央部を挟み込むように一対配置されるので、蛍光ランプが旋回するのを一層確実に阻止することができ、ランプピンがランプソケットから脱落するのを防止することができる。
【発明の効果】
【００１２】
本発明では、ランプ支持バネは、発光管の中央部分を保持するので、直線に近い部分を保持することができ、より確実に発光管を保持することができる。このため、ランプ支持バネによって蛍光ランプの旋回が阻止され、ランプピンがランプソケットから脱落するのを防止することができるという効果を有する照明器具を提供できる。
【図面の簡単な説明】
【００１３】
【図１】本発明に係る第１実施形態の照明器具を示す分解斜視図
【図２】（Ａ）は平面らせん形蛍光ランプの平面図、（Ｂ）は（Ａ）中Ｂ方向から見た正面図
【図３】ランプソケットの斜視図
【図４】（Ａ）はランプ支持バネの正面図、（Ｂ）は平面図、（Ｃ）は側面図
【図５】（Ａ）はランプピンをランプソケットに装着する前の状態を示す斜視図、（Ｂ）はランプピンをランプソケットに装着した状態を示す斜視図
【図６】（Ａ）は平面らせん形蛍光ランプを反射板に装着した状態を示す正面図、（Ｂ）は側面図、（Ｃ）は平面図
【図７】本発明の第２実施形態にかかる照明器具に用いられる蛍光ランプであり、（Ａ）は平面図、（Ｂ）は（Ａ）中Ｂ方向から見た正面図
【図８】従来の照明器具に用いられている蛍光ランプの一例であり、（Ａ）は発光面側から見た斜視図、（Ｂ）は発光面と反対側から見た斜視図
【図９】従来の照明器具に用いられている蛍光ランプの別の例であり、（Ａ）は平面らせん形蛍光ランプの平面図、（Ｂ）は（Ａ）中Ｂ方向から見た正面図
【発明を実施するための形態】
【００１４】
（第１実施形態）
以下、本発明の第１実施形態の照明器具について、図面を用いて説明する。
図１に示すように、本発明の第１実施形態にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１５】
また、底板１２ａの中央部および他方の端部よりには、蛍光ランプとしての平面らせん形蛍光ランプ２０の照明光をパネル１３側に反射して照明効率を向上させる反射板１６が設けられており、反射板１６の上面に、平面らせん形蛍光ランプ２０を装着するための一対のランプソケット１７、１７が取付けられている。これらランプソケット１７、１７は、電源線（図示省略）によって、点灯装置１４に接続されている。そして、器具本体１２における平面らせん形蛍光ランプ２０に対向する面である反射板１６の上面には、平面らせん形蛍光ランプ２０をランプソケット１７に装着した際に、平面らせん形蛍光ランプ２０の発光管２２を保持するランプ支持バネ１８が設けられている。
【００１６】
図２にも示すように、平面らせん形蛍光ランプ２０は、管状の放電路が長手方向中央部分２２ａを始点として同一平面に沿って２重渦巻状に旋回された発光管２２を有する。発光管２２の中央部分２２ａは、その他の部分に比して太径となっていて、略直線形状となっている。発光管２２の両端部にはそれぞれ口金２３、２３が取付けられており、両口金２３、２３は、発光管２２の中央部分２２ａに対して点対称の位置に設けられている。
【００１７】
なお、両口金２３、２３は、照射方向と反対側の裏面に設けられたブリッジ２４によって連結されている。また、各口金２３、２３には、一対のランプピン２１が一端を発光管２２の接線方向に沿って突出して設けられており、他端は発光管２２の内側端部に設けられているフィラメント２５（図５（Ａ）参照）に接続されている。
【００１８】
図３に示すように、ランプソケット１７は、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、取っ手１７ｅを移動させることにより、本体１７ａの外側面に沿ってランプピン挿入溝１７ｂを閉じる開閉蓋１７ｄが設けられている。
【００１９】
図１および図２に示すように、ランプ支持バネ１８は、発光管２２の中央部分２２ａを保持するように反射板１６に取り付けられている。
図４（Ａ）〜（Ｃ）に示すように、ランプ支持バネ１８は、例えば、熱伝導性がよく、放熱性がよい例えばＳＫ材やＳＵＳ等の金属製が好適である。ランプ支持バネ１８は、発光管２２の中央部分２２ａを側面から保持する発光管保持部１８ａを有しており、発光管保持部１８ａは中央部分２２ａの側面に沿った曲面を有する。発光管保持部１８ａの上端部には外側へ折り返した折り返し部１８ｂが設けられており、平面らせん形蛍光ランプ２０をランプ支持バネ１８に取付けやすくしている。
【００２０】
また、発光管保持部１８ａは支持部１８ｃおよびベース部１８ｄと一体的に設けられており、ベース部１８ｄは反射板１６に例えばネジ止めにより取付けられる。ランプ支持バネ１８は、平面らせん形蛍光ランプ２０を取付ける前は、平面らせん形蛍光ランプ２０の位置よりも図４（Ａ）中矢印Ａ方向に偏って取付けられており、平面らせん形蛍光ランプ２０を取付けた際に、矢印Ａ方向へ付勢されて確実に保持するようになっている。
【００２１】
なお、発光管２２の中央部分２２ａの下側には、ブリッジ２４が斜めに横切っているので、ブリッジ２４との干渉を回避する必要がある場合には、発光管保持部１８ａや支持部１８ｃの形状を適宜変形させる。
【００２２】
平面らせん形蛍光ランプ２０を器具本体１２に取付ける際には、図５（Ａ）に示すように、平面らせん形蛍光ランプ２０の両端の口金２３、２３に設けられているランプピン２１、２１を、ランプソケット１７のランプピン挿入溝１７ｂに位置決めする。そして、ランプピン２１をランプソケット１７の内部に挿入し（図５（Ｂ）参照）、発光管２２の中央部分２２ａをランプ支持バネ１８の発光管保持部１８ａにより保持する。その後、ランプソケット１７の取っ手１７ｅを操作して開閉蓋１７ｄ（図３参照）を閉じることにより固定する（図６（Ａ）〜（Ｃ）参照）。
【００２３】
以上、説明した実施形態の照明器具１０によれば、渦巻状に旋回された発光管２２を有する蛍光ランプ２０は、両端部に設けられた口金２３のランプピン２１をランプソケット１７により保持されるとともに、器具本体１２に取り付けられたランプ支持バネ１８により発光管２２の中央部分２２ａが保持される。この際、ランプ支持バネ１８は、発光管２２の中央部分２２ａを保持するので、直線に近い部分を保持することができ、より確実に発光管２２を保持することができる。
【００２４】
また、図２（Ａ）に示すように、蛍光ランプ２０を上方（すなわち、照明方向）から見た平面図において、発光管２２は、中央部分２２ａから時計回りに拡がるように渦巻状に形成されているので、図２に示すようにランプ支持バネ１８を配置することにより、ランプピン２１がランプソケット１７から外れる方向（図２（Ａ）中Ａ方向）へ旋回するのを阻止することになる。このため、ランプ支持バネ１８によって蛍光ランプ２０の旋回が阻止され、ランプピン２１がランプソケット１７から脱落するのを防止することができる。
【００２５】
（第２実施形態）
次に、本発明に係る第２実施形態の照明器具１０Ｂを図７に示す。なお、前述した第１実施形態に係る照明器具１０と共通する部位には同じ符号を付して、重複する説明を省略する。
【００２６】
図７に示すように、第２実施形態の照明器具１０Ｂでは、ランプ支持バネ１８が、発光管２２の中央部分２２ａを両側から挟みこむように一対配置されて反射板１６に取り付けられている。
この場合、図４に示したランプ支持バネ１８を一対用いて、発光管保持部１８ａの内面が対向するように配置し、発光管２２を両側から保持することができる。あるいは、ランプ支持バネとして、ベース部１８ｄに内面が対向するように一対の発光管保持部１８ａを設けたものを用いることもできる。
【００２７】
以上、説明した第２実施形態の照明器具１０Ｂによれば、発光管２２の中央部分２２ａを保持するランプ支持バネ１８が、発光管２２の中央部分２２ａを挟み込むように一対配置されるので、蛍光ランプ２０が旋回するのを一層確実に阻止することができ、ランプピン２１がランプソケット１７から脱落するのを防止することができる。
【００２８】
なお、本発明の照明器具は、前述した各実施形態に限定されるものでなく、適宜な変形、改良等が可能である。
【符号の説明】
【００２９】
１０  照明器具
１２  器具本体
１７  ランプソケット
１８  ランプ支持バネ
２０  平面らせん形蛍光ランプ（蛍光ランプ）
２１  ランプピン
２２  発光管
２２ａ  中央部分
２３  口金
【図１】
2011090993.tif 000003
【図２】
2011090993.tif 000004
【図３】
2011090993.tif 000005
【図４】
2011090993.tif 000006
【図５】
2011090993.tif 000007
【図６】
2011090993.tif 000008
【図７】
2011090993.tif 000009
【図８】
2011090993.tif 000010
【図９】
2011090993.tif 000011